Podtech/llm-jp-corpus-v4-ja_patent huggingface dataset:
(57)【要約】      （修正有）【課題】建物、容器、食器等の隅部を効率よく清浄化する事が出来る簡単且つ安価な清浄用具を提供する。【解決手段】弾力性を有する矩形スポンジ３の一部に適当な突起又は角部６を設け、此の突起又は角部６をスポンジ状物質よりも硬質な物質を含浸させるか、又は硬質な物質で被覆するか或いは被せるかして硬化し、清浄時に建物、容器等の隅部と正確に接触して、拭き残し部分を残さない様にする。又、軟質なスポンジ状物質の一面に、硬化したサラン樹脂系などの不織布２を貼着して、その固い角部７で、軟質面拭き残し隅部を清浄化する様にすると同時に、此の二層成分で研磨と清浄化との二作用を達成し得る様にする。【選択図】図１
0003166005.tif 000002
【実用新案登録請求の範囲】
【請求項１】
所定厚みのスポンジ状物質より成り、其の表面に少なくとも一個の隅部清浄用の突起を設け、その突起部分若しくは其の突起のある表面全体を、前記スポンジ状物質本体の弾力性より相当劣化した弾力性部分又は層とした事を特徴とする清浄用具。
【請求項２】
上記スポンジ状物質が方形若しくは曲面体である事を特徴とする請求項１記載の清浄用具。
【請求項３】
上記スポンジ状物質の突起又は表層部が、同一又は異質の弾力性物質である事を特徴とする請求項１又は２何れかに記載の清浄用具。
【請求項４】
上記スポンジ状物質に手掴み用の凹凸若しくは手の甲用の結帯を取り付けた事を特徴とする請求項１乃至３何れかに記載の清浄用具。
【考案の詳細な説明】
【技術分野】
【０００１】      本考案は、清浄用具特に被清浄体の隅又は角部を清浄し得るスポンジ状の清浄用具に関する。
【背景技術】
【０００２】      従来、建物、容器、食器などの清浄用に布状若しくはたわし状のスポンジ物質が数多く使用されている。
【考案の開示】
【考案が解決しようとする課題】
【０００３】      然しながら、上記の諸々の用具は、図２に示す如く、建物の隅又は角部の清浄時には、其の弾力性の為に、（１２）で示す如く、清浄用具（３）の仮面が湾曲又は収縮して、隅部のごみを拭き取れない不便が有る。
特にコップ、びん等の深く且つ狭い内面を持つ食器等では、其の不完全清浄の実感が極めて強く、一種のストレスを誘起する場合すら経験する。
本考案は、この様な不便、苛立ちを解消し且つ防止するものである。
【課題を解決する為の手段】
【０００４】      この様な不便、欠点を解決する為に本考案に於いては、合成樹脂等のスポンジ物質より成る板状、布、たわし状の清浄用具の一部に、少なくとも一個の本体よりも硬質の突起又は突起部分を設け、この本体部分で平面、曲面を清浄し、突起又は突起部分で隅部又は角部に残るごみ、汚れを除く様に構成して、従来の清浄時の不便を解消する事に成功した。
【０００５】      又、此の突起部は、スポンジ状清浄用具の一面上に、接着又は塗着して形成した硬質スポン部又は突起部で代用する事もが出来、、又此の硬質面部分に、例えば金剛石等の磨き粉、研磨剤等を含有させれば、磨き面又は研磨面として利用する事が出来る利益も付帯している。
【考案の効果】
【０００６】        斯くの如き構成及び作用に依って、本考案の清浄用具は、安価で使用し易く、隅々のごみ、汚れを完全に除くことが出来、其の面に金剛石等の磨き粉を含有させておけば、研磨面、磨き面材としても使用することが出来る。
又、単なる合成樹脂スポンジとやや硬質の合成樹脂不織布との接着二層体（又は単層体）であるから、容易に生産され、安価に提供出来る利益がある。
以下、図面を参照して本考案の好個の実施例を説明する。
【実施例】
【０００７】        本考案の清浄用具（１）は、図１に示す如く、適当な材料例えば発泡合成ゴム又は均等物等よりなる矩形状スポンジ（３）と、此れに接着された例えばサラン系合成樹脂の不織布（２）とより成り、夫々の角部（５）（５）・・は、更に適当な樹脂例えば合成ゴムラテックス等を含浸させて固められたものより成っている。【０００８】        此のサラン系不織布（２）は、上記の如く、其の角部のみを固化して使用しても良いが、此の面も又他の目的、例えば研磨等に使用せんとする場合には、他の樹脂で固めて、其の硬度を増加するだけでなく、例えば金剛石粉等を含浸させて、一面は単なる汚れ清浄用に、他の面はさび落とし研磨面として、使用する事も可能である。【０００９】      斯く如き清浄用具（１）は又、使用時の握り具合を考慮して、夫々の側面を（ｒ）（ｒ‘）の如く弧状に形成し、掌で掴み易い形状とするのが有利である。
勿論、たわし状（亀の甲状）にしても良いが、此の場合は、何れかの面に、後述する隅部清浄用の硬質突起を設ける必要がある。【００１０】        勿論此の場合、上下層の材質として、其の一面を硬質樹脂で含浸被覆し、同等の目的を達成する事も可能である。
又、夫々の角部（５）（５）・・全体又は一部を、図示の如く、一層分のみ硬化しても良く、両層全幅を含浸硬化させても良い。
更に又、紐（４）を、例えば硬軟両層間に装着して、清浄時に手の甲を縛り、作業効率を向上さす様にする事も可能である。
又、此の角部（７）は、図４の（５）及び（８）で示す如く、夫々硬質角部を別途に作成して、矢印方向に接着若しくは挿着して同目的に使用する事も可能である。【００１１】        此の様な本考案の清浄用具（１）は、図３及び図４に示す如く、其の角部（５）（５）・・を、壁面（１０）及び床面（１１）又は容器側面（１３）及び底面（１４）で囲た隅部（１５）（１５）と正確に衝合し、図２のスポンジ（３）の場合に拭き取れなかったごみを拭き取るか掃きだして清浄化する。
但し、図３の清浄用具（１）は、上層（２）のみの単層での例を示しているが、二層の場合は、此の清浄用具を逆転して使用するが、やや強く第二層のスポンジを圧迫すれば同様な効果を得る事が出来る。
【図面の簡単な説明】
【００１２】
【図１】本考案の清浄用具の一実施例を示す斜視図である。
【図２】従来のスポンジ清浄用具の建物隅部での使用状態を示す断面図である。
【図３】本考案の他の清浄用具の使用状態を示す断面図である。
【図４】本考案の更に他の清浄用具の図３と同様な図面で、清浄用具の角部に合成樹脂硬化スポンジを接着又は挿着する態様を示す断面図である。
【符号の説明】
【００１３】１              清浄用具
２              サラン系合成樹脂不織布
３              矩形状スポンジ
４              紐
５              角部
６              スポンジ角部
７              サラン系合成樹脂不織布角部
１０            壁面
１１            床面
【図１】
0003166005.tif 000003
【図２】
0003166005.tif 000004
【図３】
0003166005.tif 000005
【図４】
0003166005.tif 000006
(57)【要約】      （修正有）【課題】味付き米つぶ状のコンニャクを使用することで、のどに詰まる危険性を少なくしたコンニャク飲料を提供する。【解決手段】コンニャクを味付きとしたうえ飲み易い米つぶ状の小粒１とする。容器３に送入封入するに際し飲み易くするための当該コンニャクつぶと同等味のジュース液２を加注せしめ、使用する容器も凡用の飲み易いねじキャップ付きの透明性の高いものを使用することにより、特に飲み易さを特徴とするコンニャク飲料を形成する。【選択図】図１
0003166010.tif 000002
【実用新案登録請求の範囲】
【請求項１】
本考案は、コンニャクを味付きとしたうえ飲み易い米つぶ状の小粒とし、容器に送入封入するに際し飲み易くするための当該コンニャクつぶと同等味のジュース液を加注せしめ、使用する容器も凡用の飲み易いねじキャップ付きの透明性の高いものを使用する、ことにより特に飲み易さを特徴とするコンニャク飲料。
【考案の詳細な説明】
【技術分野】
【０００１】本考案は、味付きの米つぶ状のコンニャクと、ジュース液とを手軽な凡用形のねじキャップ付きのペットボトル等に封入せめめ、おなかの通りを良くする、またはダイエット用等のコンニャク飲料に関するものである。
【背景技術】
【０００２】従来、おなかの通りを良くするものとしては、医師の処方による「下剤」または食材のなかで、繊維の多いもの、消化の良いもの、等のほか、もっとも効果的な食材としてコンニャク製品が推しようされている。
コンニャク製品には、のりがき、並コン、玉コン、つきコン、刺身コン、混ぜコン、味コン、つぶコン、ライスコン、等があり、種類により、マンナン粉、水、凝固材、等の配合と製造方法を変えて製造されている。
製造の基本的な具体例として▲１▼マンナン粉を水に入れて撹拌、▲２▼加温混練り、７０度Ｃで糊化、▲３▼約３０分間の静止養生、▲４▼水で溶いた凝固液を加えて混練り、▲５▼約３０分間の静止養生、▲６▼カットし水に漬けてアク抜き、等による。
コンニャクは殆んどが水分と云われ、マンナン粉は水に対し約６％。
【考案の概要】
【考案が解決しようとする課題】
【０００３】従来、おなかの通りを良くする、またはダイエット用に供されているコンニャクは味コンの部類で、製法の一具体例としては▲１▼の水をジュース類とし、▲４▼凝固液を加えて混練りした直後に、約２０〜１５０ｇのプラ容器に入れ成形されるのが一般的。
コンニャクは柔軟性があり表面がつるつるしているため、スプン等で適当の大きさにすくい「そしゃく」するものであるが、口の中でつるつると滑ってのどに詰まる危険性を伴う食品である。
このため、特殊製品には「小さなお子様や高令者の方は絶体にたべないでください」と注記されている。
そして更に食べ易くすべく製品の一例では凹凸の付いたロールをを通して砕いた製品もあるが、コンニャクの特性の柔軟性のためか、粒が不正確のうえ、数珠つなぎの現象もあり、また包装も最近流行の口径約１ｃｍの押し出し吸い込み方式のパックを使用しているものがあり高令者には不便のようでもある。
【課題を解決するための手段】
【０００４】本考案は、コンニャクの「のど詰まり防止対策」の一つとして、味付き米つぶ状のコンニャクを使用するものである。
無味の「つぶコンまたはライスコン」は、一時期ダイエット用として、ごはんに混ぜるものが流行したが、「お米の味がおちる」とのことで、今は下火となり、メーカーも減ったが一部のスーパーでは今も販売されている。
他の類似品に、中華のデザート用として、約５ｍｍ径の「タピオカ」があり、食べると云うより楽に飲める製品ではあるが、水中で膨潤するので利用は不可。
【考案の効果】
【０００５】一般的にコンニャクは表面がつるつるのうえ柔軟性があり、噛みにくいが、米つぶ状のコンニャクにするとのどの通りが良くなるようである。
即ち、食べるコンニャクを飲むコンニャクに変える効果となるよう。
マンナン粉を溶く水をジュースに変えると更に飲み易くなるよう。
そして更に米つぶ状のコンニャクとジュース液とを封入する容器を飲み易い通例型のねじキャップ付きの透明なペットボトル等を使用することにより、在来品に較べると、安心かつ簡便に利用することが可能となる。
【図面の簡単な説明】
【０００６】
【図１】本考案の側面図
【考案を実施するための最良の形態】
【０００７】従来、おなかの通り良くする、またはダイエット用のコンニャク製品は、湯飲み茶碗状または約２０ｇの小形容器等に詰められ、スプン等ですくい出し噛んで食べられていたが、とかくつるつるしているのでのどに詰まるおそれがあった。
本考案は、コンニャクを米つぶ状の飲める形状に変えることにより、安心感を高めるものである。
また容器も特製型容器を一般に使用されているねじキヤップ付きの透明なペットボトル等にすることにより飲み易くしたものである。
【符号の説明】
【０００８】１  米つぶ状のコンニャク
２  ジュース液
３  容器
【図１】
0003166010.tif 000003
(57)【要約】      （修正有）【課題】ドレッシングの比重が軽い成分と比重が重い成分を偏りなく混合して注出することのできる容器を提供する。【解決手段】円筒形で上部に抽出口１を備える容器で、全体の容量は１５０ｃｃ〜２００ｃｃであり、狭窄部分２の上と狭窄部分の下の容積比率は１：４〜６とし、狭窄部分２より上の容積を小さくする。これは１回の使用量に相当する量を狭窄部分の上に収納するためである。狭窄部分は外側から２本の指で押さえて内側を接触させるため、容器内側の距離は５ｍｍ〜１０ｍｍとする。材質は樹脂製で、通常のドレッシング容器より柔らかく変形しやすく、押さえることをやめたら元の形状に復元する弾性を有するものとする。ドレッシングが入った容器を、蓋３を閉めた状態で振ってドレッシング成分を混合させ、狭窄部分２を押さえて混合した状態のドレッシングを二つに区分し、区分した状態を保ったまま蓋を開けて狭窄部分上部の全量を注出すれば、偏りなく混合した成分を任意の量だけ使用することができる。【選択図】図１
0003166007.tif 000002
【実用新案登録請求の範囲】
【請求項１】
筒状で上部に注出口と蓋を備える容器であって、
胴部に狭窄部分を有する形状で、狭窄部分を外部から押すことにより変形して胴部の断面が極端に狭くなり、容器内を二つの空間に区分することを特徴とする容器。
【請求項２】
液状のドレッシング類が収納された「請求項１」の容器
【考案の詳細な説明】
【技術分野】
【０００１】本考案は、液状ドレッシング類の容器に関するものである。
【背景技術】
【０００２】液状ドレッシング類、とりわけ分離液状ドレッシングは油相と酢等の水相と固体とが容器内で分離する。容器からドレッシングを注出する際には注出口が下となるため、比重の重い成分が先に容器から出てきて、比重の軽い成分はあまり出てこない傾向がある。結果としてドレッシング製品本来の成分混合比と異なる状態で注出され、風味を損なう、成分が偏って消費されていく、特に油相成分が消費されずに残る、という問題がある。
【考案の概要】
【考案が解決しようとする課題】
【０００３】ドレッシングの比重が軽い成分と比重が重い成分を偏りなく混合して注出することのできる容器を提供する。
【課題を解決するための手段】
【０００４】胴部に狭窄部分を有する形状で、狭窄部分を外部から押すことにより変形して胴部の断面が極端に狭くなり、容器内を二つの空間に区分することを特徴とする容器。
【考案の効果】
【０００５】本考案の容器は、容器を持つ手で容器の狭窄部分を挟むように押して変形させ、容器内を二つの空間に区分することで容器内のドレッシングを二つに区分し、注出する部分すなわち注出口に接する部分と容器内に残す部分すなわち注出口に接しない部分とに区分することで任意で混合した成分を任意の量だけ使用することを可能にする。【０００６】本考案は、容器を押して変形させることが特徴であるが、この機能を使用せず通常の容器と同様に使用することも可能であり、使用者を選ばない。
構造が単純であるため、製造コストの負担が少なく、また衛生面で通常の容器に劣らない。
【図面の簡単な説明】
【０００７】
【図１】側面図
【図２】正面図
【図３】狭窄部分を押して変形させた状態の側面図
【考案を実施するための形態】
【実施例】
【０００８】円筒形で上部に抽出口を備える容器で、全体の容量は１５０ｃｃ〜２００ｃｃであり、狭窄部分の上と狭窄部分の下の容積比率は１：４〜６とし、狭窄部分より上の容積を小さくする。これは１回の使用量に相当する量を狭窄部分の上に収納するためである。
狭窄部分は外側から２本の指で押さえて内側を接触させるため、容器内側の距離は５ｍｍ〜１０ｍｍとする。
材質は樹脂製で、通常のドレッシング容器より柔らかく変形しやすく、押さえることをやめたら元の形状に復元する弾性を有するものとする。【０００９】ドレッシングが入った容器を、蓋を閉めた状態で振ってドレッシング成分を混合させ、狭窄部分を押さえて混合した状態のドレッシングを二つに区分し、
区分した状態を保ったまま蓋を開けて狭窄部分上部の全量を注出すれば、偏りなく混合した成分を任意の量だけ使用することができる。
【符号の説明】
【００１０】１…注出口
２…狭窄部分
３…蓋
４…極端に狭くなった断面
【図１】
0003166007.tif 000003
【図２】
0003166007.tif 000004
【図３】
0003166007.tif 000005
(57)【要約】      （修正有）【課題】体重を大腿部、背部に分散させ、尻ずれを防止させて腰椎への圧迫を防ぎ、腰痛を予防し、すわり心地を改善する座椅子スペーサーを提供する。【解決手段】回転座椅子の座部のフレームと座布団の間に、前方が高くなっている略台形形状の座椅子スペーサーを入れる。そのスペーサーは外周フレームで前側を規制され、坐骨結節部への体重を大腿部、背部に分散して尻ずれを防ぎ、腰痛を予防し、座り心地を改善する。【選択図】図１
0003166034.tif 000002
【実用新案登録請求の範囲】
【請求項１】
座部底フレームが水平でその上に外周フレームを持つ回転座椅子において、尻ずれを防ぎ腰痛を予防して座り心地を良くするため、座部フレームと座布団の間に入れて使用する、前方を高くした略台形形状を特徴とするスペーサー。
【請求項２】
表面形状に沿わした断面形状を持つ複数のサイドフレームに、薄板状のアッパーフレームとロアーフレームをビス等で取り付けて製作する、請求項１のスペーサー。
【請求項３】
表面、側面形状と補強のためのリブを樹脂及び金属の一体成型で製作する、請求項１のスペーサー。
【請求項４】
表面、側面を金属および樹脂の薄板でプレスして製作する、請求項１のスペーサー。
【請求項５】
全体を発泡した樹脂およびウレタンなどで一体に成型して製作する、請求項１のスペーサー。
【考案の詳細な説明】
【技術分野】
【０００１】
本考案は、座面の底フレームが水平でその上に外周フレームを持つ回転座椅子のすわり心地を良くするため、座面底のフレームと座布団の間に置いて使用する、座椅子の補助具に関するものである。
【背景技術】
【０００２】
さまざまな生活文化が普及している現在、和室、洋間ともに座椅子が多く使われており、その中で回転座椅子は使い勝手がよく安価で見栄えもいいので、よく見かけるものですが、その多くは回転盤を土台のフレームと座面の底フレームの間に取り付けているため  座面底は水平となり座部も水平で  長時間座っていると腰痛を生じることが多々あった。  
【０００３】
これは、座部の底フレームが水平であるため、背中にかかる負荷によりお尻が前に押し出されることと、坐骨結節部のみに体重の多くが集中してかかり  しびれてお尻を前にずらすことがあり、これにより腰椎が圧迫を受けて腰痛が発生することが考えられ、長時間のすわり作業では仕方がないと思われていた。
【０００４】
この対策として  時々座り直すか、立ち上がって背伸びをして作業を続けるが、集中力がとぎれてしまい結局  最後には腰が痛くなることがしばしばであった。
【考案の概要】
【考案が解決しようとする課題】
【０００５】
解決しようとする課題は、坐骨結節部への体重を  大腿部、背部に分散させて  尻ずれを防止させて腰椎への圧迫を防ぎ、腰痛を予防し  すわり心地を改善することである。
【課題を解決するための手段】
【０００６】
座部の底フレームが平らで  その上に外周フレームを取り付けている回転座椅子において、本考案の座椅子スペーサーを座部の底フレームと座布団の間に入れて  坐骨結節部への集中荷重を大腿部、背部に分散させるようにしたもので、前側を高くした略台形形状を主要な特徴としたものである。
【考案の効果】
【０００７】
水平な座部底フレームの上で外周フレームの後ろ側に本案の略台形形状のスペーサーを置くことにより、スペーサーは外周フレームで前側を規制され、坐骨結節部への体重を大腿部、背部に分散して尻ずれを防ぎ、腰痛を予防し  座り心地を改善する。
【図面の簡単な説明】
【０００８】
【図１】回転座椅子と本案の座椅子スペーサーの斜視図である。
【図２】回転座椅子に本案の座椅子スペーサーを組み込んだ斜視図である。
【図３】図２の平面図と中央断面の側面図である。
【図４】現状の回転座椅子の斜視図である。
【図５】図5は座椅子スペーサーの第１の実施例を示した斜視図である。
【図６】図6は座椅子スペーサーの第２の実施例を示した斜視図で、下の図は裏からの斜視図である。
【図７】図７は座椅子スペーサーの第３の実施例を示した斜視図とその断面図である。
【図８】図８は座椅子スペーサーの第４の実施例を示した斜視図とその断面図である。
【考案を実施するための形態】
【０００９】
坐骨結節部への体重を大腿部、背部に分散させて  尻ずれを防止させ腰痛を予防し、座り心地を改善するという目的を  回転座椅子本体を変更することなく、座椅子スペーサーを座椅子の座部底フレームと座布団の間に入れるだけで解決できた。
【実施例１】
【００１０】
図5は第1の実施例を示しており、前方が高くなっている略台形形状本体の外形に沿わした  複数のサイドフレーム１ｇに、薄いアッパーフレーム１ｆ、とロアーフレーム１ｈ、をビス１ｉで取り付けて製作している。
【実施例２】
【００１１】
図６は第２の実施例を示しており、前方が高くなっている略台形形状の上部、側面、補強リブ１ｍを樹脂および金属で一体に成型して製作している。
【実施例３】
【００１２】
図７は第３の実施例を示しており、前方が高くなっている略台形形状の外周を
金属及び樹脂の薄板でプレス成型して製作している。
【実施例４】
【００１３】
図８は第４の実施例を示しており、前方が高くなっている略台形形状の全体を
発泡スチロール、などの発泡した樹脂及びウレタンなどで一体に成型して製作している。
【産業上の利用可能性】
【００１４】
本考案は  足を伸ばして使用するだけでなく、胡坐、ひざ立ての状態でも使用でき、長時間のパソコンの作業、机上での作業、テレビ、オーディオ等の観賞で多く利用されると考えられる。
【符号の説明】
【００１５】
１  座椅子スペーサー
１ｋ実施例１の座椅子スペーサー
１ｆアッパーフレーム
１ｇサイドフレーム
１hロアーフレーム
１ｉビス
１ｎ実施例２の座椅子スペーサー
１ｐ実施例３の座椅子スペーサー
1ｑ実施例４の座椅子スペーサー
１ｍリブ
２  回転座椅子
２ａ  座布団
２ｂ  底フレーム
２ｃ  背部
２ｄ  回転盤
２ｅ  外周フレーム
【図１】
0003166034.tif 000003
【図２】
0003166034.tif 000004
【図３】
0003166034.tif 000005
【図４】
0003166034.tif 000006
【図５】
0003166034.tif 000007
【図６】
0003166034.tif 000008
【図７】
0003166034.tif 000009
【図８】
0003166034.tif 000010
(57)【要約】      （修正有）【課題】ホルダーを貫通するリード線間に凹部を設けて沿面電気絶縁を強化する事により、全体の体積を縮小することができ、かつ電子部品の安全規格に適うヒューズホルダーを提供する【解決手段】ホルダー本体１０と、ホルダー本体を貫通する２本のリード線２０とによってなるベース１を具え、該ホルダー本体を貫通する２本のリード線の上端にそれぞれ平面を形成し、両該平面の間にヒューズ３０を設けるとともに該ベースのホルダー本体の上面であって、該本体を貫通する２本の該リード線の間の領域を窪ませて凹溝状部１１を形成してヒューズホルダーを構成する。【選択図】図４
0003166096.tif 000002
【実用新案登録請求の範囲】
【請求項１】
ホルダー本体と、ホルダー本体を貫通する２本のリード線とによってなるベースを具え、
該ホルダー本体を貫通する２本のリード線の上端にそれぞれ平面を形成し、両該平面の間にヒューズを設けてなるヒューズホルダーであって、
該ベースのホルダー本体の上面であって、該本体を貫通する２本の該リード線の間の領域を窪ませて凹溝状部を形成することを特徴とするヒューズホルダー。
【請求項２】
前記２本のリード線の間の領域を窪ませて形成される前記凹溝状部が複数形成されることを特徴とする請求項１に記載のヒューズホルダー。
【考案の詳細な説明】
【技術分野】
【０００１】
この考案はヒューズに関し、特に電子回路を保護するヒューズを取り付けるヒューズを取り付けるヒューズホルダーの構造に関する。
【背景技術】
【０００２】
従来のヒューズホルダーの構造を図１、図２に開示する。図面によれば、従来のヒューズホルダーは、ホルダー本体１０と、ホルダー本体１０を貫通する２本のリード線２０を具えるベース１と、及びキャップ２とによってなり、ホルダー本体１０を貫通する２本のリード線２０は、それぞれ上端部に平面２１を形成し、両平面２１の間にヒューズ３０を設けるとともに、キャップ２をベース１に冠着して本体１０のヒューズ３０を設けた面を完全に覆い、ヒューズホルダーを形成する。
【０００３】
上述するヒューズホルダーは、通常電子設備に設けられる電子回路の保護に用いられ、ノイズを低減させる作用を有する。具体的には、例えばテレビゲーム機本体の電源供給器、携帯電話機の充電器、オフィース、工場などの自動化設備もしくは家庭用電器などの電源供給回路用いられる。
【０００４】
上述する用途については、テレビゲーム機の電源供給器、携帯電話機の充電器などは、更に薄く、スリム化に向かい、継続して発展している。かかる市場のニーズに応えるために、各種の電子部品も小型化に向かって進まなければならない。当然のことながら、ヒューズホルダーも例外ではない。但し、図１、図２に開示する従来のヒューズホルダーをさらに小型化すれば、図面に開示するヒューズ３０を設ける２本のリード線２０の沿面距離が縮小し、先進国家における電子部品の安全規格に適合しなくなる、この点において改善の余地がある。
【考案の概要】
【考案が解決しようとする課題】
【０００５】
この考案は、全体の体積を縮小することができ、かつ電子部品の安全規格に適うヒューズホルダーを提供することを課題とする。
【課題を解決するための手段】
【０００６】
そこで本考案者は従来の技術に鑑み鋭意研究を重ねた結果、ホルダー本体と、ホルダー本体を貫通する２本のリード線とによってなるベースを具え、該ホルダー本体を貫通する２本のリード線の上端にそれぞれ平面を形成し、両該平面の間にヒューズを設けてなるヒューズホルダーであって、該ベースのホルダー本体の上面であって、該本体を貫通する２本の該リード線の間の領域を窪ませて凹溝状部を形成してなるヒューズホルダーの構造によって課題を解決できる点に着眼し、かかる知見に基づいて本考案を完成させた。
【０００７】
上述する構造のヒューズホルダーは、ヒューズと、ホルダー本体の２本のリード線の間の沿面距離が長くなるため、ヒューズホルダー全体のサイズを縮小化しても、電子部品の安全規格に適い、安全性を保つことができる。
【図面の簡単な説明】
【０００８】
【図１】従来のヒューズホルダーの構造を示した説明図である。
【図２】従来のヒューズホルダーにおけるベースを示した斜視図である。
【図３】この考案のヒューズホルダーにおけるベースを示した斜視図である。
【図４】ヒューズを設けたこの考案のヒューズホルダーにおけるベースの側面図である。
【考案を実施するための形態】
【０００９】
この考案は、サイズを縮小化しても十分な沿面距離が得られ、安全なヒューズホルダーを提供するものであって、ホルダー本体と、ホルダー本体を貫通する２本のリード線とによってなるベースを具え、該ホルダー本体を貫通する２本のリード線の上端にそれぞれ平面を形成し、両該平面の間にヒューズを設けるとともに該ベースのホルダー本体の上面であって、該本体を貫通する２本の該リード線の間の領域を窪ませて凹溝状部を形成してヒューズホルダーを構成する。かかるヒューズホルダーの構造と特徴を説明するために、具体的な実施例を挙げ、図面を参照にして以下に詳述する。
【実施例】
【００１０】
図３、４に開示するように、この考案によるヒューズホルダーは、ホルダー本体１０とホルダー本体１０を貫通する２本のリード線２０とによってベース１を構成する。本体１０を貫通する２本のリード線２０は、それぞれ上端に平面２１を形成し、両平面２１の間にヒューズ３０を設ける。
【００１１】
この考案においては、ヒューズホルダー全体のサイズを縮小することができる。ベース１のホルダー本体１０の上面であって、ホルダー本体１０を貫通する２本のリード線２０の間の領域を窪ませて凹溝状部１１を形成する。図面には凹状部１１を一箇所形成した構造を開示するが、但し、凹状態部１１を複数形成してもよい（図示しない）。
【００１２】
この考案においては、ホルダー本体１０の上面に凹状部１１を形成することによって、ヒューズ３０と、ホルダー本体１０の２本のリード線の間の沿面距離が長くなる。このため、ヒューズホルダー全体のサイズを縮小化しても、電子部品の安全規格に適い、安全性を保つことができる。
【符号の説明】
【００１３】
１            ベース
１０        ホルダー本体
１１        凹状部
２            キャップ
２１        平面
２０        リード線
３０        ヒューズ
【図１】
0003166096.tif 000003
【図２】
0003166096.tif 000004
【図３】
0003166096.tif 000005
【図４】
0003166096.tif 000006
(57)【要約】      （修正有）【課題】斜面の無いゴルフ練習場で、前上がり下がり、又打ち上げ下ろしの練習を可能とする用具を提供する。【解決手段】練習場に持ちこめる大きさで、厚板の一面を斜めに削り、くさび形に仕上げ、この上に足を載せてインパクトする。即ち、前下がり練習には、本考案二枚をスタンスの巾に二枚をつま先を薄い方にして並べ、其の前にボールを置いてインパクトする。そして前上がり練習には、つま先側に斜面の厚い法を置いてインパクトする。又打ち下ろしの練習には右打ちの人は右足の下に、打ち方向に薄い方を二枚並べて置いて、其の上に靴を載せてインパクトする。そして打ち上げ練習の場合は左足の下に打ち方向側に厚い方を置いて靴を載せてインパクトする。上記の方法により、通常のゴルフ練習場でも、斜面上のインパクト練習が思うままに可能となり技術上達の効果を期待できる。なお本考案を互い違いにあわせると矩形体となり、携帯に便利となる。【選択図】図２
0003166022.tif 000002
【実用新案登録請求の範囲】
【請求項１】
厚板を斜面に削ぎ，くさび型とし、其の一面を歯形に刻みを入れ、刻み部を地面に接し、その上に足を載せてボールをインパクトするゴルフ用具
【考案の詳細な説明】
【技術分野】
【０００１】本考案はゴルフのコースで前下がりや前上がり、又打ち下ろし、打ち上げの地形に遭遇した時、安定してショットができるように、練習場でその地形を実現してボールをインパクトする練習に関するものである。
【背景技術】
【０００２】通常ゴルフ練習場の打席は平地面にマットを敷きその上にボールを載せてインパクトするだけの設備だけしかないので、実際のコースで遭遇する斜面の状況を練習では実感できない。
【考案の概要】
【考案が解決しようとする課題】
【０００３】練習場の平面の地面の上に斜面を作り、スウィングがコースの斜面上に居る感触でインパクトの練習が可能となることを課題とする。
【課題を解決するための手段】
【０００４】平面の練習場に斜面を簡単に造成するには、土を斜面に盛り土するとか、又は斜面盤をを作り其の上に立ってスイングインパクトが出来ればよいのだが、練習場ではそこまで面倒みられない。しからば、自分で携帯可能な斜面盤を作り練習場に持ち込んで打ち台のボールの前に置き、その斜面の盤に載ってインパクトすれば、盤の置き方で望みの練習をする事が出来る。
【考案の効果】
【０００５】ボールのまえに、二枚の盤を薄い方を置くと前下がりの状況とおなり、逆に厚い方を置くと前上がりとなる。この状況で其の上に載ってインパクトすれば前下がり、前上がりの練習が可能となる、また盤を打ち方向に薄い方を、又は厚い方を打ち方向に平行に置いて、片足を載せてインパクトすれば、打ち下ろし、打ち上げの練習ができる。
【考案を実施する為の形態】
【０００６】靴が楽に載る大きさの厚板の片面を削りくさび型に成形して、一方の面にｖ字の刻みを縦横に入れて、山形の突起を作る。この刻み面は地面に接して盤の移動をふせぐ
【図面の簡単な説明】
【０００７】
【図１】（ａ）は本考案の平面図である、（ｂ）は本考案の側面図である。
【図２】（ｃ）は本考案を使用して前下がりのインパクトを示す、（ｄ）は本考案を使用して打ち下ろしのインパクトを示す。
【考案を実施する為の形態】
【０００８】盤を作成は、厚い長方形の板材の片面を削り斜面とし、その斜面にＶ字の刻みを刻んで、盤が地面に食い込む形状に作成する。大きさは平らの面に靴を載せて、靴の前後、横に余裕を持たせる
【実施例】
【０００９】以下図にて説明する。前記の方法で斜面を持つ盤二枚を作成して、打ち台のボールの前にスタンスの巾を開けて二個並べる。前下がりの練習をする時は薄い方をボール側に、反対に前上がりの時は厚い方をボール側に置く。二個並べた本考案に足を載せてインパクト練習をする。図２の（Ｃ）は前下がりの形状を示す【００１０】打ちおろしの練習には本考案を打ち方向に対しボールの後ろに、二枚打ち方向に薄い方を又、打ち方向に平行に並べて右打ちの人は右足を載せてインパクトする。を図２（ｄ）はこの状況を示す。打ち上げの練習は本考案を左に置いて左足を乗せてインパクトする。
【符合の説明】
【００１１】１    本考案の１枚目の斜面盤
２    本考案の２枚目の斜面盤
ａ    本考案の平面図
ｂ    本考案の側面図
ｃ    前下がりの場面のインパクト
ｄ    打ち下ろしの場面のインパクト
【図１】
0003166022.tif 000003
【図２】
0003166022.tif 000004
(57)【要約】      （修正有）【課題】電気楽器用（エレキギター、エレキベース、電子ピアノ等）エフェクターの固定に使用する接着シートにおいて、粘着層の素材自体が持つ自己粘着性を利用することで、何度でもはりはがしを可能とし、接着剤除去を不要とすることができるエフェクター固定接着シートを提供する。【解決手段】長方形状の面ファスナー（オス）Ａの裏面に同形状薄肉体のウレタンゲルＢを接着し、その上に保護シートＣが貼りつけてある。使用時にはその保護シートＣをはがし、エフェクターＤの底面へ貼りつける。さらに持ち運びケースの内側の面ファスナー（メス）へ押しつけることでエフェクターを固定する。【選択図】図１
0003166023.tif 000002
【実用新案登録請求の範囲】
【請求項１】
電気楽器（エレキギター、エレキベース、電子ピアノ等）で利用するエフェクターを面ファスナーが設けられた持ち運びケース内に固定するエフェクター接着シートであって、前記ケース内の面ファスナーと着脱自在に貼り付けられるシート状の面ファスナーと、この面ファスナー裏側に積層形成された粘着層と、この粘着層の裏側を覆う剥離紙を有することを特徴とする接着シート。
【請求項２】
周縁部の内側に切り抜き用の断続的なミシン目が環状に形成されていることを特徴とする請求項１記載の接着シート。
【考案の詳細な説明】
【技術分野】
【０００１】  本考案は電気楽器用（エレキギター、エレキベース、電子ピアノ等）エフェクターの固定に使用する接着シートに関するものである。
【背景技術】
【０００２】  従来、電気楽器用（エレキギター、エレキベース、電子ピアノ等）のエフェクターを持ち運びケース、およびこれに類するものに設置・固定する場合、固定方法が面ファスナーとその裏に塗布された接着剤による固定であった。【０００３】  またエフェクターには様々なサイズが存在するが、面ファスナーのサイズは一様でしかない。
【考案の開示】
【考案が解決しようとする課題】
【０００４】  以上に述べた従来の方法ではエフェクターの交換時に面ファスナー側は自由にはりはがしが可能だが、エフェクター側に塗布された接着剤は一度貼り付けた後にはがすのは非常に困難であった。また、はがしても再び使うことはできず、エフェクター側にも接着剤がこびりついてしまい、これを除去するにも手間がかかっていた。【０００５】
【特許文献１】  登録実用新案第３１２０９６３号  特許文献１のような解決手段が提示されてはいるものの、構造的にエフェクターよりひとまわり大きなスペースが必要となる。また、まったく別のエフェクターに交換する際はネジをはずし、台座ごと交換しなければならない。【０００６】  エフェクターの様々なサイズに面ファスナーで対応するには、利用者側で増やすか、小さく切ることで対応する必要があった。また特許文献１の解決手段では、エフェクターの様々なサイズに対応するために、そのサイズに合わせた専用の台座を用意しなければならない。
【課題を解決するための手段】
【０００７】  本考案はその問題を解消するものである。請求項１の接着シートは電気楽器で利用するエフェクターを面ファスナー（メス）が設けられた持ち運びケース内に固定するエフェクター接着シートであって、前記ケース内の面ファスナー（メス）と着脱自在に貼り付けられるシート状の面ファスナー（オス）と、この面ファスナー裏側に積層形成された粘着層、この粘着層の裏側を覆う剥離紙を有することを特徴とする接着シートである。【０００８】  請求項２の接着シートはさらに周縁部の内側に切り抜き用の断続的なミシン目が環状に形成されているものである。
【考案の効果】
【０００９】  本考案はこのような構造により、従来の面ファスナーの利便性を活かしたまま、エフェクター側の接着剤を廃し、粘着層の素材自体が持つ自己粘着性を利用することで、何度でもはりはがしを可能とし、接着剤除去を不要とすることができる。【００１０】  また本考案は面ファスナーが支えられる重量の範囲内であればサイズに依存することがなく、また周縁部の内側に設けた切り抜き用の断続的なミシン目は、普及している特定メーカー向けにあわせてあり、利用者がこれにそって切断することで、そのメーカーのエフェクター用として利用することが可能である。
【図面の簡単な説明】
【００１１】
【図１】本考案の接着シートの使用状態を示す参考斜視図
【図２】本考案の接着シートの正面図
【図３】本考案の接着シートの左側面図
【図４】本考案の接着シートの平面図
【図５】本考案の接着シートの底面図
【図６】ミシン目で切り抜いた接着シートの参考斜視図
【考案を実施するための最良の形態】
【００１２】  本考案に係るエフェクター接着シートは、面ファスナー（オス）（Ａ）と裏面のウレタンゲル（Ｂ）の組み合わせにより成しえるものである。図面（図１）について説明すると長方形状の面ファスナー（オス）（Ａ）の裏面に同形状薄肉体のウレタンゲル（Ｂ）を接着し、その上に保護シート（Ｃ）が貼りつけてある。使用時にはその保護シートをはがし、エフェクター底面（Ｄ）へ貼りつける。さらに持ち運びケース（Ｅ）の内側の面ファスナー（メス）へ押しつけることでエフェクターを固定する。【００１３】  図面（図４）の（Ｆ）のミシン目は普及している特定メーカー向けにあわせたサイズとなっており、利用者はこれにそって切断することで、そのメーカーのエフェクター用として利用することが可能である。
【産業上の利用可能性】
【００１４】    電気楽器用のエフェクターの持ち運びケースへの固定に利用する。
【符号の説明】
【００１５】  （Ａ）  面ファスナー（オス）
（Ｂ）  ウレタンゲル
（Ｃ）  保護シート
（Ｄ）  エフェクター
（Ｅ）  持ち運びケース
（Ｆ）  ミシン目
【図１】
0003166023.tif 000003
【図２】
0003166023.tif 000004
【図３】
0003166023.tif 000005
【図４】
0003166023.tif 000006
【図５】
0003166023.tif 000007
【図６】
0003166023.tif 000008
(57)【要約】      （修正有）【課題】眼鏡の左右のつるを無くし中央上部の支持体をヘッドバンドに挟んで固定するツルなしメガネを提供する。【解決手段】左右のメガネ部１を連結するブリッジの中央上部から上方に突出させて縦長の板状に面が前後方向になるように伸延し支持体３を形成し、さらにこの支持体３の上部を前方に折曲し、支持体３はさらに下方に向けて折り返されてヘアピン状の挾持部４を形成し、挾持部４と支持体３の間に隙間部６を設ける。以上の構成で、使用するときは、伸縮する柔らかな鉢巻状の平環状帯からなるヘッドバンド５を頭部に装着したときのヘッドバンド５の額部分の内側に支持体３を置き、挾持部４がヘッドバンド５の外側にくるようにして引き下げ、ヘッドバンド５を挾持部４の隙間部６で挟んでヘッドバンド５を頭部に装着する。【選択図】図２
0003166026.tif 000002
【実用新案登録請求の範囲】
【請求項１】
左右のメガネ部を連結しているブリッジの中央上部から上方に突出させて縦長の支持体を設け、この支持体の上部の先端から逆方向に折り返してヘアピン状の挾持部を形成したことを特徴とするツルなしメガネ。
【考案の詳細な説明】
【技術分野】
【０００１】  本考案は、眼鏡の左右の耳に掛けるつるを無くし、眼鏡の中央部をヘッドバンドに取り付けたツルなしメガネに関する。
【背景技術】
【０００２】  従来、眼鏡の左右のメガネ部の連結部上部にアームを設けてヘッドバンドの前面額部にヒンジを介して装着したものや、ニット製の帽子の下端周縁に設けられたヘッドバンドに固着されたものがある（特許文献１参照）。
【先行技術文献】
【０００３】
【特許文献１】登録実用新案第３００８３２５号公報
【考案の概要】
【考案が解決しようとする課題】
【０００４】  それには次のような問題点があった。
（イ）ヒンジは、メガネ部が下向き、横向き、上向き、状態の３段階に固定できるように夫々係合溝が設けられ、３段階の状態を堅持するため板状のスチールスプリングが装着され、スチールスプリングは円板からなり、その周辺に係合凹溝が形成されるなど、複雑で高価なものになる。
（ロ）このヒンジは、プラスチックの硬いヘッドバンドに取り付けてあるため、横向きに寝て頭を起こしてテレビを見るとき、肘をついて側頭部に手をあてがうと、このヘッドバンドが硬くて邪魔である。
（ハ）ヘッドバンド部に眼鏡を固着したものも、横向きに寝て頭を起こして新聞を読むとき、肘をついて側頭部に手をあてがうと、このヘッドバンドが硬くて邪魔である。
本考案は、これらの問題点を解決するためになされたものである。
【課題を解決するための手段】
【０００５】  左右のメガネ部を連結している中央上部を上方に板状に伸延し、この上端が前方に折曲し、さらに下方に向けてヘアピン状の挟持部を形成する。この挾持部で伸縮する柔らかいヘッドバンドを挾持する。以上を特徴とするツルなしメガネである。
【考案の効果】
【０００６】  ヘッドバンドに眼鏡を取り付けるための複雑なヒンジをなくし簡単なクリップにしたため安価で故障がない。
また、側頭部には硬いツルはなく伸縮する柔らかいヘッドバンドがあるので、メガネをかけながら横向きに寝て頭を起こしてテレビを見るとき、肘をついて楽に手を側頭部にあてがうことができる。また横向きに寝て枕に側頭部を載せて本を読むこともできる。
【図面の簡単な説明】
【０００７】
【図１】本考案の斜視図
【図２】本考案の実施例を示す斜視図
【考案を実施するための形態】
【０００８】  以下、本考案の実施の形態について説明する。
左右のメガネ部１を連結するブリッジ２の中央上部から上方に突出させて縦長の板状に面が前後方向になるように伸延し支持体３を形成し、さらにこの支持体３の上部を前方に折曲し、支持体３はさらに下方に向けて折り返されてヘアピン状の挾持部４を形成し、挾持部４と支持体３の間に隙間部６を設ける。
本考案は以上のような構成で、これを使用するときは、伸縮する柔らかな鉢巻状の平環状帯からなるヘッドバンド５を頭部に装着したときのヘッドバンド５の額部分の内側に支持体３を置き、挾持部４がヘッドバンド５の外側にくるようにして引き下げ、ヘッドバンド５を挾持部４の隙間部６で挟んでヘッドバンド５を頭部に装着するのである。
【符号の説明】
【０００９】    １  メガネ部
２  ブリッジ
３  支持体
４  挾持部
５  ヘッドバンド部
６  隙間部
【図１】
0003166026.tif 000003
【図２】
0003166026.tif 000004
(57)【要約】      （修正有）【課題】交換・洗浄が容易な噴霧ノズルを提供する。【解決手段】液ノズルの吐出パイプに、この吐出パイプの外径より若干大径のエア吐出口を持つエアユニットを挿入し、エアユニットを吐出パイプに固定する固定具を設置する。中心に液ノズルの通る穴と、周囲にエア通路穴を複数設置した位置決め壁を設置し、液ノズル、エア管は共に長いチューブとする。【選択図】図１
0003166025.tif 000002
【実用新案登録請求の範囲】
【請求項１】
液ノズルの吐出パイプに、この吐出パイプの外径より若干大径のエア吐出口を持つエアユニットを挿入し、エアユニットを吐出パイプに固定する固定具を設置したことを特徴とする噴霧ノズル。
【請求項２】
中心に液ノズルの通る穴と、周囲にエア通路穴を複数設置した位置決め壁を設置した請求項１の噴霧ノズル。
【請求項３】
液ノズル、エア管共に長いチューブとした請求項１の噴霧ノズル。
【請求項４】
外周に切り欠けを数箇所刻設し、中央に液ノズルの挿入穴を刻設した、請求項１の噴霧ノズルの位置決め壁スリーブ。
【考案の詳細な説明】
【技術分野】
【０１】薬液、塗料、インク、絵の具、グリス、クリーム、ペースト等の液の吐出パイプに装着し、これら液を霧滴状にして噴霧する噴霧ノズル。絵画描画用エアブラシ、消毒液、接着剤、フラックス等皮膜形成剤等の噴霧塗布装置等。
【背景技術】
【０２】従来噴霧ノズルは液通路部材とエア通路部材は一体に形成され複雑な形状をしている。液が硬化して詰まったときも全体を交換、洗浄しており手間とコストのかかるものであった。
【考案が解決しようとする課題】
【０３】既成の液体吐出装置に容易に装着でき、噴霧ノズルを安価に提供すること。
【０４】液ノズルとエアノズルを完全に別体形成し、交換、洗浄を容易にする。
【課題を解決するための手段】
【０５】液吐出ノズルの吐出パイプに、この吐出パイプの外径より若干大径のエア吐出口を持つエアユニットを挿入し、液吐出口とエア吐出口を概略同一位置にしてエアユニットを固定する。液の吐出時に、エアユニットに圧縮エアを供給すると、液の吐出口より出る液を噴霧する。
【実施例１】
【０６】噴霧ノズル１は中心に液ノズル２を、外側にエアユニット３を配置する。【０７】液ノズル２の上部は、メスルアー継ぎ手４を形成し、下部は直管パイプ５を形成する。【０８】エアユニット３は、ボデイ６の上部に直管パイプ５と契合する管継ぎ手７を形成し、中心に直管パイプ５より若干大径の貫通穴８を形成し、ボデイ６の外周にエアホース継ぎ手９を装着し貫通穴８と連通さす。ボデイ６下部のエア吐出口１１付近に液ノズル２の位置決め壁１３を設置する。位置決め壁１３は中心に液ノズル２の通る穴１４と、周囲にエア通路穴１５を複数設置する。
【作用】
【０９】既成液体吐出装置の吐出シリンジ吐出口のオスルアー部に、液ノズル２をメスルアー継ぎ手４で連結し、エアホース継ぎ手９にエアホース１０を連結する。エア吐出口１１と液吐出口１２が概略同一位置になるように管継ぎ手７で固定する。液吐出口１２より液を吐出さすと共にエア吐出口１１からエアを噴出すと液は霧化され噴霧となる。
位置決め壁１３は液ノズル２をエア吐出口１１と同心に位置決めするので、液ノズル２と同心上に噴霧する。（同心を必要としないならば位置決め壁１３は省略できる）
既成液体吐出装置との連結にルアー結合を説明したが他の連結方法も採用できる。
又、ボデイ６の固定に管継ぎ手７を説明したが他の固定方法も採用できる。
【効果】
【１０】噴霧ノズル１は簡潔な構成で安価に提供できる。
【１１】管継ぎ手７の固定位置調整で、エア吐出口１１と液吐出口１２の出入量を調整でき、液の粘度等で変化する噴霧状態を調整できる。
【１２】既成液体吐出装置は重力式タンク、吸い上げ式タンク、ガス圧送式、定量供給式等任意に適応できる。注射器にも連結できる。
【１３】液ノズルとエアノズルを完全に別体形成でき、交換、洗浄が容易。薬液の種類を変えたり、絵の具の色を変えたりするとき、液ノズルの管径を同じにしておくとエアユニットを差し換えるのみで素早く変換できる。
【１４】エア吐出口１１の形状を楕円、長方形、その他形状に形成して塗布形状を変えられる。
【１５】既成液体吐出装置を定量吐出装置とすると、液の吐出速度、エアの噴出し量、管継ぎ手７の固定位置を調整して噴霧液滴の大きさを調整できる。
【１６】液を静かに吐出さし、液ノズル２の先に液団子を形成したときエア吐出口１１よりエアを調整して吹き出すと、液団子は団子状のまま液ノズル２の先から離れて落下する。塗布面に接触せずに液滴を塗布できる。またこの落下した液滴に液ノズル２からエアをあてて液滴を塗り広げることもできる。
【実施例２】
【１７】噴霧ノズル２０は噴霧ノズル１とほぼ同じ構成であるがボデイ６の下部にチューブ差込部２１を形成し、長いエア管２２を挿入設置する。液ノズル２３は長いチューブとする。エア管２２は液ノズル２３に合わせて長くすると共に下端に前記位置決め壁１３等を刻設したスリーブ２４を設置する。図４に示すのは外周に切り欠け２５を数箇所刻設し、中央に液ノズル２３の挿入穴２６を刻設したスリーブ２４である。切り欠け２５をねじ状に刻設して、通過するエアを渦巻き状にすることができる。
【効果】
【１８】エア管２２を深い穴に挿入し穴底に液を噴霧できる。
【１９】エア管２２、液ノズル２３共に柔軟なチューブとすると奥まった部分や直管のとどかない部分に液を噴霧できる。内臓の所要部に薬液を噴霧する医療用に適応できる。
ロボットハンドにエア管２２の先端のみを装着すると、ロボットの負荷を小さくできる。
【２０】エア管２２部分を手持ち道具形状外皮内に挿入してエアブラシガンとするとボールペン程度に細く形成でき使い勝手の良いものを提供できる。
【２１】スリーブ２４はチューブ内に挿入するのみでよい構成で安価。
【図面の簡単な説明】
【２２】
【図１】実施例１の断面図
【図２】実施例１の位置決め壁１３の平面図
【図３】実施例２の断面図
【図４】実施例２のスリーブ２４の平面図
【符号の説明】
【２３】１：噴霧ノズル  ２：液ノズル  ３：エアユニット  ４：メスルアー継ぎ手
５：直管パイプ  ６：ボデイ  ７：管継ぎ手  ８：貫通穴
９：エアホース継ぎ手  １０：エアホース  １１：エア吐出口  １２：液吐出口
１３：位置決め壁
【図１】
0003166025.tif 000003
【図２】
0003166025.tif 000004
【図３】
0003166025.tif 000005
【図４】
0003166025.tif 000006